【事件の表示】
　特願２００３−２９３５４０「インクジェット記録装置、インクジェット記録方法及びプログラム」拒絶査定不服審判事件〔平成１７年　３月１０日出願公開、特開２００５−　５９４４０〕について、次のとおり審決する。
【結　論】
　本件審判の請求は、成り立たない。
【理　由】
 　
第１．手続の経緯
　本願は、平成１５年８月１４日の出願であって、平成１９年５月１７日付けで拒絶査定がなされ、これに対し、同年６月２１日付けで拒絶査定に対する審判請求がなされるとともに、同年７月２３日付けで特許請求の範囲及び明細書に係る手続補正がなされたものである。
　さらに、審査官により作成された前置報告書について審尋がなされたところ、審判請求人から平成２１年８月６日付けで回答書が提出されたものである。
　
　
第２．平成１９年７月２３日付けの手続補正についての補正却下の決定
［補正却下の決定の結論］
　平成１９年７月２３日付けの手続補正（以下、「本件補正」という。）を却下する。
　
［理由］
１．補正の内容
　本件補正は、特許請求の範囲を補正する内容を含んでおり、本件補正により、特許請求の範囲の請求項１は、
「　インク滴を吐出するインクジェットヘッドと、
　入力された画像データに応じて、前記インクジェットヘッドにインク滴を吐出させるための吐出信号を生成する吐出信号生成装置と、前記吐出信号生成装置で生成された吐出信号を前記インクジェットヘッドに供給する吐出信号供給装置とを備えたインクジェット記録装置であって、
　前記インクジェットヘッドが、
　ノズルに連通した複数の圧力室が平面に沿ってマトリクス状に互いに隣接配置された流路ユニットと、
　前記圧力室に対向する位置に配置され且つ前記吐出信号供給装置から吐出信号がそれぞれ供給される複数の個別電極、共通電極、及び、前記共通電極と前記個別電極とによって挟まれた圧電シートを含み、前記流路ユニットの一表面に固定されて前記圧力室の容積を変化させるアクチュエータユニットとを備えており、
　前記圧力室の平面形状が２つの鋭角部を有する平行四辺形又は角部が丸められた平行四辺形形状であり、
　前記流路ユニットにおいて複数の前記圧力室が千鳥状に配置されることによって、前記圧力室の２つの鈍角部を結ぶ方向に互いに平行に延在する複数の圧力室列が形成されており、
　前記吐出信号生成装置が、互いに位相が異なる２種類の吐出信号を生成し、
　前記吐出信号供給装置が、前記２つの鋭角部を結ぶ方向に隣接する前記圧力室に対向した前記個別電極に同じ種類の吐出信号を供給すると共に、前記圧力室列に属する隣接した複数の前記圧力室に対向した前記個別電極に２種類の吐出信号を交互に供給することを特徴とするインクジェット記録装置。」
から
「　インク滴を吐出するインクジェットヘッドと、
　入力された画像データに応じて、前記インクジェットヘッドにインク滴を吐出させるための吐出信号を生成する吐出信号生成装置と、前記吐出信号生成装置で生成された吐出信号を前記インクジェットヘッドに供給する吐出信号供給装置とを備えたインクジェット記録装置であって、
　前記インクジェットヘッドが、
　ノズルに連通した複数の圧力室が平面に沿ってマトリクス状に互いに隣接配置された流路ユニットと、
　前記圧力室に対向する位置に配置され且つ前記吐出信号供給装置から吐出信号がそれぞれ供給される複数の個別電極、共通電極、及び、前記共通電極と前記個別電極とによって挟まれた圧電シートを含み、前記流路ユニットの一表面に固定されて前記圧力室の容積を変化させるアクチュエータユニットとを備えており、
　前記圧力室の平面形状が２つの鋭角部を有する平行四辺形又は角部が丸められた平行四辺形形状であり、
　前記流路ユニットにおいて複数の前記圧力室が千鳥状に配置されることによって、前記圧力室の２つの鈍角部を結ぶ方向に互いに平行に延在する複数の圧力室列が形成されており、
　複数の前記圧力室に連通した共通インク室が前記流路ユニット内に設けられることによって、前記共通インク室の出口から前記圧力室を経て前記ノズルに至る複数の個別インク流路が前記流路ユニット内に形成されており、
　同じ前記圧力室列に属する前記圧力室が同じ前記共通インク室に連通していると共に、当該共通インク室において当該圧力室に関する前記出口が、前記圧力室列の配列方向に沿って配列しており、
　前記吐出信号生成装置が、互いに位相が異なる２種類の吐出信号を生成し、
　前記吐出信号供給装置が、前記２つの鋭角部を結ぶ方向に隣接する前記圧力室に対向した前記個別電極に同じ種類の吐出信号を供給すると共に、前記圧力室列に属する隣接した複数の前記圧力室に対向した前記個別電極に２種類の吐出信号を交互に供給することを特徴とするインクジェット記録装置。」
に補正された。
　上記補正は、補正前の請求項１に記載した発明を特定するために必要な事項である「圧力室」、「圧力室列」及び「流路ユニット」に関して、
「複数の前記圧力室に連通した共通インク室が前記流路ユニット内に設けられることによって、前記共通インク室の出口から前記圧力室を経て前記ノズルに至る複数の個別インク流路が前記流路ユニット内に形成されており、
　同じ前記圧力室列に属する前記圧力室が同じ前記共通インク室に連通していると共に、当該共通インク室において当該圧力室に関する前記出口が、前記圧力室列の配列方向に沿って配列して」いる構成に限定したものであって、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２．独立特許要件について
（１）刊行物に記載された発明
（刊行物１について）
　原査定の拒絶の理由に引用された特開２００３−１６５２１５号公報（以下、「刊行物１」という。）には、図面とともに、以下の記載がある。（下線は当審にて付与した。）
　
（１−ａ）「【請求項１】
 
 それぞれがノズルに連通した複数の圧力室が平面に沿って配列されており、インク供給口から前記圧力室を経て前記ノズルに至るインク流路を内部に有する流路ユニットと
  
各圧力室の平面領域内に形成された個別電極と、複数の前記個別電極に跨って形成された共通電極と、前記共通電極と複数の前記個別電極とによって挟まれた圧電シートとを有していると共に、前記平面と平行な前記流路ユニットの一表面に固定され、前記圧電シートの変形により前記圧力室の容積を変化させるアクチュエータユニットとを備え
  前記個別電極が、主電極領域部と、前記主電極領域部とつながっており且つ前記主電極領域部よりも平面積が小さい補助電極領域部とを有しており、
  前記補助電極領域部の各々と接合される端子を有し、前記アクチュエータユニットに駆動信号を供給する柔軟ケーブルを備えていることを特徴とするインクジェットヘッド。」
　
（１−ｂ）「【００１８】図１乃至図４に示すように、インクジェットプリンタヘッド１は、略長方形に形成された薄い金属板の積層構造からなるキャビティプレート２の上に、平面視略台形状若しくは略平行四辺形状のプレート型の５枚の各圧電シート２０、２０、２０、２０、２０が互いに隣接した状態で積層された構造となっている。また、
キャビティプレート２の表面には、ほぼ菱形形状に形成されたインク圧力室１９Ａが要求される印字密度に対応して複数列配列されている
この複数列の各インク圧力室１９Ａは、このインク圧力室１９Ａの鋭角部を互いに他の列のインク圧力室１９Ａ間に入り込ませるように高密度に配置されている
【００１９】また、キャビティプレート２は、略長方形の金属板の板材を９枚積層した９層構造になっている。具体的には、キャビティプレート２は、図３（Ｂ）に示すように、下層から、ノズルプレート１１、カバープレート１２、第一マニホールドプレート１３、第二マニホールドプレート１４、第三マニホールドプレート１５、サプライプレート１６、アパーチャプレート１７、スペーサプレート１８及びベースプレート１９の９枚の薄い金属板を積層した構造となっている。また、図１に示すように、キャビティプレート２の長手方向の両端縁部には、インクが供給される各フィルタ孔１９Ｂ、１９Ｂが形成され、この各フィルタ孔１９Ｂ、１９Ｂには、インク内のゴミが侵入するのを防ぐための微細な貫通孔が多数形成される各フィルタ２１、２１が積層されている。
【００２０】また、図３に示すように、ノズルプレート１１には、微小径のインク噴出用のノズル１１Ａが、多数個穿設されている。また、カバープレート１２には、各ノズル１１Ａに対向する位置に該ノズル１１Ａに連通した微小径のインクの通路である貫通孔１２Ａが多数穿設されると共に、各マニホールドプレート１３、１４、１５によって形成される後述のインクマニホールド通路の１つの壁面を構成している。
【００２１】また、第１マニホールドプレート１３には、前記貫通孔１２Ａに対向する位置に該貫通孔１２Ａに連通した微小径のインクの通路である貫通孔１３Ａが多数穿設されると共に、前記インクマニホールド通路を構成する溝状の孔部１３Ｂが長手方向に沿って延びるように各インク圧力室１９Ａの各列に沿って複数列形成されている。
【００２２】また、第２マニホールドプレート１４には、前記貫通孔１３Ａに対向する位置に該貫通孔１３Ａに連通した微小径のインクの通路である貫通孔１４Ａが多数穿設されると共に、前記インクマニホールド通路を構成する溝状の孔部１４Ｂが長手方向に沿って延びるように各インク圧力室１９Ａの各列に沿って複数列形成されている。
【００２３】また、第３マニホールドプレート１５には、前記貫通孔１４Ａに対向する位置に該貫通孔１４Ａに連通した微小径のインクの通路である貫通孔１５Ａが多数穿設されると共に、前記インクマニホールド通路を構成する溝状の孔部１５Ｂが長手方向に沿って延びるように各インク圧力室１９Ａの各列に沿って複数列形成されている。
【００２４】また、サプライプレート１６には、前記貫通孔１５Ａに対向する位置に該貫通孔１５Ａに連通した微小径のインクの通路である貫通孔１６Ａが多数穿設されている。また、このサプライプレート１６の貫通孔１６Ａに対して上記インク圧力室１９Ａの鋭角部と反対の対角線方向で、かつ、前記孔部１５Ｂの側端縁部の近傍位置（図３（Ｂ）中、右側端縁部の近傍位置）には、インクマニホールド通路に連通してインクの供給通路を形成する貫通孔１６Ｂが多数穿設されている。
【００２５】ここで、図３（Ｂ）に示すように、
カバープレート１２の上面部、溝状の各孔部１３Ｂ、１４Ｂ、１５Ｂ、及びサプライプレート１６の底面部によって構成され、インクを各インク圧力室１９Ａに供給する共通のインク室として働くインクマニホールド通路が長手方向に複数列形成されいてる
　
（１−ｃ）「【００３０】次に、圧電シート２０の概略構造及び該圧電シート２０と電源回路部（不図示）から延設されるフレキシブルプリント配線板（ＦＰＣ）との電気的な接続構造について図５及び図６に基づいて説明する。図５は本実施形態に係るインクジェットプリンタヘッド１の圧電シート２０の要部拡大縦断面図である。図６は本実施形態に係るインクジェットプリンタヘッド１の圧電シート２０の内部の電気接続構造を模式的に示す分解斜視図である。図５及び図６に示すように、圧電シート２０は、５枚の第１圧電層２１、第２圧電層２２、第３圧電層２３、第４圧電層２４、及び第５圧電層２５を積層した構造に形成されている。また、第１圧電層２１の上面部には、上記のように各インク圧力室１９Ａに対応する位置に該インク圧力室１９Ａの投影形状よりも少し小さいほぼ相似形の略菱形の駆動電極２０Ａと、該駆動電極２０Ａの鋭角部から連続して形成される矢印形状のランドパターン２０Ｂが形成されている。また、各ランドパターン２０Ｂの略中央部には、貫通孔２０Ｃが穿設されている。」
　
（１−ｄ）「【００３６】上記のように構成された第１乃至第５圧電層２１、２２、２３、２４、２５の内、ＦＰＣ３２を介して第１圧電層２１の駆動電極２０Ａ及び第３圧電層２３の内部電極２３Ａと、第２圧電層２２のコモン電極２２Ｂ及び第４圧電層２４のコモン電極２４Ａとの間に駆動電圧を印可することにより、第１乃至第５圧電層２１、２２、２３、２４、２５が変形して、キャビティプレート２の対応するインク圧力室１９Ａ内のインクに圧力を加えることができる。」
　
（１−ｅ）図１ないし図５として、
「
 
」
　
（１−ｆ）図６ないし図７として、
「
 
」
　
　上記摘記事項に記載の「インクジェットプリンタヘッド」がインクジェットプリンタに用いられることは自明の事項である。
　また、上記摘記事項から、複数の圧力室（インク圧力室１９Ａ）については、「ほぼ菱形形状に形成された複数の圧力室が平面に沿って長手方向に複数列配列され」ているといえる。
　
　上記の事項をまとめると、刊行物１には、以下の発明が開示されていると認められる。（以下、「刊行物１発明」という。）
　
「それぞれがノズルに連通し、ほぼ菱形形状に形成された複数の圧力室が平面に沿って長手方向に複数列配列され、かつ、前記圧力室は、各列の圧力室の鋭角部を互いに他の列の圧力室間に入り込ませるように高密度に配置されており、
　インクを各圧力室に供給する共通のインク室として働くインクマニホールド通路が長手方向に複数列形成され、該インクマニホールド通路から、インク供給口及び前記圧力室を経て前記ノズルに至るインク流路を内部に有する流路ユニットと、
　各圧力室の平面領域内に形成された個別電極と、複数の前記個別電極に跨って形成された共通電極と、前記共通電極と複数の前記個別電極とによって挟まれた圧電シートとを有していると共に、前記平面と平行な前記流路ユニットの一表面に固定され、前記圧電シートの変形により前記圧力室の容積を変化させるアクチュエータユニットとを備える、
　インクジェットプリンタヘッドを用いた、インクジェットプリンタ。」　
　
（刊行物２について）
　また、原査定の拒絶の理由に引用された特開平５−６９５４４号公報（以下、「刊行物２」という。）には、次の事項が記載されている。（下線は、当審にて付与した。）
　
（２−ａ）「【０００５】
【目的】本発明は、上述のごとき実情に鑑みてなされたもので、インクの噴射状態を安定にし、駆動周波数に対するインクの噴射速度の変動をなくすようにした液体噴射記録ヘッドの駆動方法を提供すること、また
マルチノズルヘッドの同時駆動時の相互干渉による滴速度低下を防止するようにした液体噴射記録ヘッドの駆動方法
　
（２−ｂ）「【００１８】
図８は、位相差のある場合の駆動電圧波形を示す図
奇チャンネル群と偶チャンネル群の２群に圧電素子を分割し、奇チャンネルと偶チャンネル間に位相差をもたせた例を示す
奇チャンネルの相互干渉による滴速度の低下は改善される
　
　（２−ｃ）図８として、
「
」
　
（刊行物３について）
　同じく、原査定の拒絶の理由に引用された特開平１０−３１５４５１号公報（以下、「刊行物３」という。）には、次の事項が記載されている。（下線は、当審にて付与した。）
　
（３−ａ）「【０００５】
【発明が解決しようとする課題】上述した従来のインクジェット記録装置やヘッド制御回路にあっては、いずれも
隣接するノズル間（チャンネル間）の駆動タイミングをずらすことによって隣接ノズル間の機械的相互干渉或いは流体的相互干渉を低減させようとするもの
　
（３−ｂ）「【００４８】次に、以上のように構成したこのインクジェット記録装置の作用について図１１以降をも参照して説明する。先ず、本発明の概要について説明すると、複数のノズルを有するインクジェットヘッドを駆動してノズルからインク滴を吐出させる場合、通常は、図１１に示すように各ノズルに対応するエネルギー発生手段に対して同じタイミングで駆動波形を与えて各ノズルを同時に駆動する、つまり、インク滴吐出タイミングを同じにしている（この駆動方法を「駆動ａ」という。）。
【００４９】このように複数のノズルを同時に駆動する（実際にはエネルギー発生手段を駆動するのであるが、便宜上、ノズル又はチャンネルを駆動するという表現を用いる。）場合、駆動時に発生する機械的な振動、インクの物性と液室構造で決まる流体的な振動が、隣接するチャンネルへ影響を及ぼす相互干渉が発生するので、１つのノズルを単独で駆動した場合に比べて、インク滴の速度Ｖｊや液体積Ｍｊが変動したり、気泡をノズル内に引き込んでインク滴吐出不良になったりする。
【００５０】この駆動ａの方法による駆動を行ったときのインク滴吐出速度Ｖｊと隣接チャンネル（ノズル）数の関係を図１４に示している。同図の隣接駆動チャンネル数の「±０」は着目チャンネルを単独で駆動した場合を示し、±１（全駆動チャンネル数３）、±２（全駆動チャンネル数５）、……は、着目チャンネルに隣接する両側の駆動チャンネル数を示している。この図から分るように、隣接駆動チャンネル数（隣接駆動ノズル数）が増加するにつれてインク滴吐出速度Ｖｊは低下していくが、駆動チャンネルが着目チャンネルから離れるに従って相互干渉の影響が少なくなるので、あるチャンネル数以上になると、インク滴吐出速度Ｖｊの低下率が飽和する。
【００５１】そこで、これを改善するために、
図１２に示すように隣接するノズル相互間で駆動波形にディレイ時間Ｔｄ（ｂ）を設けて隣接ノズル相互間の駆動タイミングをディレイ時間Ｔｄ（ｂ）だけずらす駆動方法もある（この駆動方法を「駆動ｂ」という。）
　
（３−ｃ）図１２として、
「
」
　
（刊行物４について）
　同じく、原査定の拒絶の理由に引用された特開昭５５−３４９０６号公報（以下、「刊行物４」という。）には、次の事項が記載されている。（下線は、当審にて付与した。）
　
（４−ａ）「　本発明はこの点に鑑みてなされたもので、その目的は、
ノズル間で相互干渉の生じないインクジェット記録装置
　この目的を達成するため、本発明は、
近接する複数個のインク室にそれぞれ設けられた電歪振動子のようなインク室容積変化手段に印加する駆動電圧信号の位相を互に異ならせた
　
　
（２）対比
　本願補正発明と刊行物１発明とを対比する。
　まず、刊行物１発明における
「インクジェットプリンタヘッド」、
「インクジェットプリンタ」、
「長手方向」、
「（それぞれがノズルに連通し、）ほぼ菱形形状に形成された複数の圧力室が平面に沿って長手方向に複数列配列され、かつ、前記圧力室は、各列の圧力室の鋭角部を互いに他の列の圧力室間に入り込ませるように高密度に配置されており」、
「インクを各圧力室に供給する共通のインク室として働くインクマニホールド通路」、
「インクを各圧力室に供給する共通のインク室として働くインクマニホールド通路が長手方向に複数列形成され、該インクマニホールド通路から、インク供給口及び前記圧力室を経て前記ノズルに至るインク流路を内部に有する」、
「それぞれがノズルに連通し、ほぼ菱形形状に形成された複数の圧力室が平面に沿って長手方向に複数列配列され、かつ、前記圧力室は、各列の圧力室の鋭角部を互いに他の列の圧力室間に入り込ませるように高密度に配置されており、（インクを各圧力室に供給する共通のインク室として働くインクマニホールド通路が長手方向に複数列形成され、該インクマニホールド通路から、インク供給口及び前記圧力室を経て前記ノズルに至るインク流路を内部に有する）流路ユニット」は、
それぞれ、本願補正発明における
「インク滴を吐出するインクジェットヘッド」、
「インクジェット記録装置」、
「圧力室列の配列方向」及び「前記圧力室の２つの鈍角部を結ぶ方向」、
「前記圧力室の平面形状が２つの鋭角部を有する平行四辺形（又は角部が丸められた平行四辺形）形状であり、（前記流路ユニットにおいて）複数の前記圧力室が千鳥状に配置されることによって、前記圧力室の２つの鈍角部を結ぶ方向に互いに平行に延在する複数の圧力室列が形成されており」、
「複数の前記圧力室に連通した共通インク室」、
「複数の前記圧力室に連通した共通インク室が前記流路ユニット内に設けられることによって、前記共通インク室の出口から前記圧力室を経て前記ノズルに至る複数の個別インク流路が前記流路ユニット内に形成されており、同じ前記圧力室列に属する前記圧力室が同じ前記共通インク室に連通していると共に、当該共通インク室において当該圧力室に関する前記出口が、前記圧力室列の配列方向に沿って配列しており」、
「ノズルに連通した複数の圧力室が平面に沿ってマトリクス状に互いに隣接配置された流路ユニット」に相当する。
　そして、刊行物１発明における「インクジェットプリンタ」において、「入力された画像データに応じて、前記インクジェットヘッドにインク滴を吐出させるための吐出信号を生成する吐出信号生成装置と、前記吐出信号生成装置で生成された吐出信号を前記インクジェットヘッドに供給する吐出信号供給装置」に相当する構成を有しており、「吐出信号供給装置から吐出信号が複数の個別電極」に供給されることは自明の事項である。
　そうすると、刊行物１発明における「各圧力室の平面領域内に形成された個別電極と、複数の前記個別電極に跨って形成された共通電極と、前記共通電極と複数の前記個別電極とによって挟まれた圧電シートとを有していると共に、前記平面と平行な前記流路ユニットの一表面に固定され、前記圧電シートの変形により前記圧力室の容積を変化させるアクチュエータユニット」は、
　本願補正発明における「前記圧力室に対向する位置に配置され且つ前記吐出信号供給装置から吐出信号がそれぞれ供給される複数の個別電極、共通電極、及び、前記共通電極と前記個別電極とによって挟まれた圧電シートを含み、前記流路ユニットの一表面に固定されて前記圧力室の容積を変化させるアクチュエータユニット」に相当する。
　
　
　したがって、本願補正発明と刊行物１発明とは、
「　インク滴を吐出するインクジェットヘッドと、
　入力された画像データに応じて、前記インクジェットヘッドにインク滴を吐出させるための吐出信号を生成する吐出信号生成装置と、前記吐出信号生成装置で生成された吐出信号を前記インクジェットヘッドに供給する吐出信号供給装置とを備えたインクジェット記録装置であって、
　前記インクジェットヘッドが、
　ノズルに連通した複数の圧力室が平面に沿ってマトリクス状に互いに隣接配置された流路ユニットと、
　前記圧力室に対向する位置に配置され且つ前記吐出信号供給装置から吐出信号がそれぞれ供給される複数の個別電極、共通電極、及び、前記共通電極と前記個別電極とによって挟まれた圧電シートを含み、前記流路ユニットの一表面に固定されて前記圧力室の容積を変化させるアクチュエータユニットとを備えており、
　前記圧力室の平面形状が２つの鋭角部を有する平行四辺形形状であり、
　前記流路ユニットにおいて複数の前記圧力室が千鳥状に配置されることによって、前記圧力室の２つの鈍角部を結ぶ方向に互いに平行に延在する複数の圧力室列が形成されており、
　複数の前記圧力室に連通した共通インク室が前記流路ユニット内に設けられることによって、前記共通インク室の出口から前記圧力室を経て前記ノズルに至る複数の個別インク流路が前記流路ユニット内に形成されており、
　同じ前記圧力室列に属する前記圧力室が同じ前記共通インク室に連通していると共に、当該共通インク室において当該圧力室に関する前記出口が、前記圧力室列の配列方向に沿って配列している、インクジェット記録装置。」
の点で一致し、以下の点で相違している。
　
［相違点］：「吐出信号生成装置」及び、「吐出信号供給装置」に関して、本願補正発明においては、「吐出信号生成装置」が、「互いに位相が異なる２種類の吐出信号を生成し、」かつ、「吐出信号供給装置」が、「前記２つの鋭角部を結ぶ方向に隣接する前記圧力室に対向した前記個別電極に同じ種類の吐出信号を供給すると共に、前記圧力室列に属する隣接した複数の前記圧力室に対向した前記個別電極に２種類の吐出信号を交互に供給する」のに対し、刊行物１発明においては、そのような特定がない点。
　
　
（３）判断
（相違点について）
　上記相違点について検討する。
　まず、構造的クロストークを抑制することは、周知の課題であって、そのために、隣接するノズルの駆動信号の位相を異ならせることは、刊行物２〜４に示されるとおり、従来周知の技術であり、特に、刊行物３に記載のものは、「そこで、これを改善するために、図１２に示すように隣接するノズル相互間で駆動波形にディレイ時間Ｔｄ（ｂ）を設けて隣接ノズル相互間の駆動タイミングをディレイ時間Ｔｄ（ｂ）だけずらす駆動方法もある（この駆動方法を「駆動ｂ」という。）。」（上記摘記事項（３−ｂ）、段落【００５１】）とあるとおり、２種類の駆動波形を交互に用いるものである。
　そして、「前記２つの鋭角部を結ぶ方向に隣接する前記圧力室に対向した前記個別電極に同じ種類の吐出信号を供給する」とした点については、２つの鋭角部を結ぶ方向に隣接する圧力室間では、構造的クロストークの影響が少ないことは明らかであり、かつ、「２種類の吐出信号」しか選択できない条件の下で、隣接する圧力室群において、極力、同じ位相の吐出信号を連続して供給しないようにすることも当業者にとって当然の事項といえるから、該「前記２つの鋭角部を結ぶ方向に隣接する前記圧力室に対向した前記個別電極に同じ種類の吐出信号を供給する」とした点は、斜め方向に隣接する３以上の圧力室群に同じ吐出信号を供給することがないよう、「前記圧力室列に属する隣接した複数の前記圧力室に対向した前記個別電極に２種類の吐出信号を交互に供給する」ために適宜採用できる設計的事項に過ぎない。
　したがって、刊行物１発明において、「吐出信号生成装置」が、「互いに位相が異なる２種類の吐出信号を生成し、」かつ、「吐出信号供給装置」が、「前記２つの鋭角部を結ぶ方向に隣接する前記圧力室に対向した前記個別電極に同じ種類の吐出信号を供給すると共に、前記圧力室列に属する隣接した複数の前記圧力室に対向した前記個別電極に２種類の吐出信号を交互に供給する」構成を採用することは、当業者が容易に為し得たことである。
　
（本願補正発明が奏する効果について）
　そして、上記相違点によって、本願補正発明が奏する「構造的クロストークを抑制することができる。」、「最大消費電力を抑えることができるため、電力の小さい電源装置を使用することができる。これによりインクジェット記録装置の省スペース化及び低コスト化を図ることができる。」といった効果は、刊行物１〜４に記載された事項から予測し得る程度のものであって、格別のものではない。
　
（４）まとめ
　以上のように、本願補正発明は、刊行物１〜４に記載された発明に基づいて当業者が容易に発明をすることができたものであり、特許法第２９条第２項の規定により、特許出願の際独立して特許を受けることができない。
　
３．補正却下の決定についてのむすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３．本願発明について
１．本願発明
　平成１９年７月２３日付けの手続補正は上記のとおり却下されたので、本願の請求項１〜１２に係る発明は、平成１８年１０月２３日付けの手続補正によって補正された特許請求の範囲の請求項１〜１２に記載された事項により特定されるものであり、特に、請求項１に係る発明（以下、「本願発明」という。）は、以下のとおりである。
「　インク滴を吐出するインクジェットヘッドと、
　入力された画像データに応じて、前記インクジェットヘッドにインク滴を吐出させるための吐出信号を生成する吐出信号生成装置と、前記吐出信号生成装置で生成された吐出信号を前記インクジェットヘッドに供給する吐出信号供給装置とを備えたインクジェット記録装置であって、
　前記インクジェットヘッドが、
　ノズルに連通した複数の圧力室が平面に沿ってマトリクス状に互いに隣接配置された流路ユニットと、
　前記圧力室に対向する位置に配置され且つ前記吐出信号供給装置から吐出信号がそれぞれ供給される複数の個別電極、共通電極、及び、前記共通電極と前記個別電極とによって挟まれた圧電シートを含み、前記流路ユニットの一表面に固定されて前記圧力室の容積を変化させるアクチュエータユニットとを備えており、
　前記圧力室の平面形状が２つの鋭角部を有する平行四辺形又は角部が丸められた平行四辺形形状であり、
　前記流路ユニットにおいて複数の前記圧力室が千鳥状に配置されることによって、前記圧力室の２つの鈍角部を結ぶ方向に互いに平行に延在する複数の圧力室列が形成されており、
　前記吐出信号生成装置が、互いに位相が異なる２種類の吐出信号を生成し、
　前記吐出信号供給装置が、前記２つの鋭角部を結ぶ方向に隣接する前記圧力室に対向した前記個別電極に同じ種類の吐出信号を供給すると共に、前記圧力室列に属する隣接した複数の前記圧力室に対向した前記個別電極に２種類の吐出信号を交互に供給することを特徴とするインクジェット記録装置。」
　
２．引用刊行物
　これに対して、原査定の拒絶の理由に引用された引用された刊行物１〜４、及び、その記載事項は、前記第２．２．（１−ａ）〜（４−ａ）で示したとおりである。
　
３．対比・判断
　本願発明は、上記第２．２．で検討した本願補正発明から、「圧力室」、「圧力室列」及び「流路ユニット」に関して、「複数の前記圧力室に連通した共通インク室が前記流路ユニット内に設けられることによって、前記共通インク室の出口から前記圧力室を経て前記ノズルに至る複数の個別インク流路が前記流路ユニット内に形成されており、同じ前記圧力室列に属する前記圧力室が同じ前記共通インク室に連通していると共に、当該共通インク室において当該圧力室に関する前記出口が、前記圧力室列の配列方向に沿って配列して」いる構成を削除したものである。
　
　そうすると、本願発明の特定事項を全て含み、さらに他の特定事項を付加したものに相当する本願補正発明が、上記第２．２．に記載したとおり、刊行物１に記載された発明及び周知技術に基づいて当業者が容易に発明をすることができたものであるから、本願発明も、同様の理由により、刊行物１〜４に記載された発明に基づいて当業者が容易に発明をすることができたものである。
　
４．むすび
　以上のとおり、本願の請求項１に係る発明は、刊行物１〜４に記載された発明に基づいて当業者が容易に発明をすることができたものであるから、特許法第２９条第２項の規定により特許を受けることができない。
　したがって、その他の請求項に係る発明について検討するまでもなく、本願は拒絶すべきものである。
　なお、請求人は、当審からの審尋への回答書において、補正の用意がある旨記載しているが、特許法が補正の時期的制限を設けていることの趣旨に鑑みて、補正の機会を設けることとはしない。
　
　よって、結論のとおり審決する。